(57)【特許請求の範囲】
【請求項１】
少なくとも、複数に区分された記録情報と、前記記録情報を再生するための再生制御情報と、選択可能に表示される選択項目を構成する副映像情報と、前記選択項目が選択確定された場合に実行されるコマンドを規定するコマンド情報と、を記録する情報記録媒体であって、
前記コマンドが実行されることによって再生されるべき記録情報を特定するための特定情報を記録することを特徴とする情報記録媒体。
【請求項２】
請求項１に記載の情報記録媒体において、
前記選択項目は、複数存在し、
前記特定情報は、各前記選択項目に記録される各前記コマンド情報に対応付けられて記録されていることを特徴とする情報記録媒体。
【請求項３】
請求項１に記載の情報記録媒体において、
前記選択項目は、複数存在し、
前記特定情報は、複数の前記選択項目に関する情報を一括管理する記録領域に記録されていることを特徴とする情報記録媒体。
【請求項４】
請求項１乃至３の何れか一項に記載の情報記録媒体において、
前記特定情報には、前記再生されるべき記録情報の内容を示す情報が含まれていることを特徴とする情報記録媒体。
【請求項５】
請求項１乃至４の何れか一項に記載の情報記録媒体に記録された前記記録情報を再生する情報再生装置であって、
再生すべき記録情報を指定するための指定情報を取得する指定情報取得手段と、
前記情報記録媒体に記録された前記特定情報を取得する特定情報取得手段と、
前記取得された特定情報のうち、前記取得された指定情報に対応する特定情報を検索する特定情報検索手段と、
前記検索された特定情報に対応するコマンド情報に規定されたコマンドを実行するコマンド実行手段と、
を備えることを特徴とする情報再生装置。
【請求項６】
請求項５に記載の情報再生装置において、
前記指定情報取得手段は、ユーザから入力手段を介して入力された前記指定情報を取得することを特徴とする情報再生装置。
【請求項７】
請求項１乃至４の何れか一項に記載の情報記録媒体に記録された前記記録情報を再生する情報再生方法であって、
再生すべき記録情報を指定するための指定情報を取得する工程と、
前記情報記録媒体に記録された前記特定情報を取得する工程と、
前記取得された特定情報のうち、前記取得された指定情報に対応する特定情報を検索する工程と、
前記検索された特定情報に対応するコマンド情報に規定されたコマンドを実行する工程と、
を備えることを特徴とする情報再生方法。
【請求項８】
請求項１乃至４の何れか一項に記載の情報記録媒体に記録された前記記録情報を再生するコンピュータを、
再生すべき記録情報を指定するための指定情報を取得する指定情報取得手段、
前記情報記録媒体に記録された前記特定情報を取得する特定情報取得手段、
前記取得された特定情報のうち、前記取得された指定情報に対応する特定情報を検索する特定情報検索手段、及び、
前記検索された特定情報に対応するコマンド情報に規定されたコマンドを実行するコマンド実行手段、
として機能させることを特徴とする情報再生処理プログラム。
【請求項９】
請求項８に記載の情報再生処理プログラムがコンピュータ読み取り可能に記録されていることを特徴とする記録媒体。
【発明の詳細な説明】
【技術分野】
【０００１】
本発明は、少なくとも、複数に区分された記録情報と、前記記録情報を再生するための再生制御情報と、選択可能に表示される選択項目を構成する副映像情報と、前記選択項目が選択確定された場合に実行されるコマンドを規定するコマンド情報と、を記録する情報記録媒体、及び当該情報記録媒体に記録された記録情報を再生する情報再生装置及び方法等の技術分野に関する。
【背景技術】
【０００２】
近年、例えば映画等を記録することを念頭においたＤＶＤ（Digital Versatile Disc）−Ｖｉｄｅｏ規格に準拠したＤＶＤ（以下、「ビデオＤＶＤ」という）、音楽等を記録することを念頭においたＤＶＤ−Ａｕｄｉｏ規格に準拠したＤＶＤ（以下、「オーディオＤＶＤ」という）、及びそれらＤＶＤ（ビデオＤＶＤ及びオーディオＤＶＤ等を含む総称。以下同じ）から情報を再生するＤＶＤ再生装置が広く知られるようになってきている。【０００３】
このようなＤＶＤ再生装置において、ユーザが再生操作を行った場合、ＤＶＤに記録された情報が再生され、始めにタイトル等を選択するためのメニューが表示画面上に表示されることが一般的となっている。そして、かかるメニューには、タイトル等を選択するための複数の選択ボタンが表示されており、ユーザが操作部を操作して当該選択ボタンを選択、確定すると、その選択ボタンに対応するコマンドが実行され、それに対応するタイトルにおける映像情報や音声情報等が再生、出力されるような物が多い。言い換えれば、メニューにおける選択ボタンの選択が確定して初めて、それに対応するタイトルにおける映像情報や音声情報等が再生、出力されることになる。【０００４】
一方で、上記メニューが表示された後、一定時間経過後に自動的にタイトルにおける映像情報や音声情報等が再生、出力される、いわゆるオートプレイ機能を有するＤＶＤ再生装置も存在する。【０００５】
このようなメニューにおける選択ボタンを表示画面上に選択可能に表示させるための情報は、例えば特許文献１に開示されるように、上記規格に準じて予めＤＶＤに記録されるようになっている。
【特許文献１】特開２００４−４７０８１号公報
【発明の開示】
【発明が解決しようとする課題】
【０００６】
ところで、上記オートプレイ機能を有しない従来のＤＶＤ再生装置においては、ユーザが操作部を操作してメニューにおける選択ボタンを選択、確定しなければ、タイトルにおける映像情報や音声情報等が再生されないので、ユーザにとって当該操作が煩わしい（例えば、車載用のＤＶＤ再生装置においては、ユーザは運転中に操作部を操作できないため）と感じる場合があった。【０００７】
一方、オートプレイ機能を有する従来のＤＶＤ再生装置においては、ユーザが選択ボタンを選択確定操作することなく、一定時間経過後自動的に映像情報等が再生、出力されるが、この場合、ボタン番号が最も若い選択ボタン（どの選択ボタンに何のタイトルを割り当てるかは、例えば製造者により任意に決められる）に対応するコマンドが実行され、それに対応するタイトルにおける映像情報や音声情報等が再生されるのであり、必ずしもユーザが所望（意図）するタイトル（例えば、映画等の本編）における映像情報等が再生されるとは限らない。【０００８】
そこで、このような不都合の解消を一つの課題とし、ユーザにより選択ボタンが選択されることなく、当該ユーザが所望する記録情報を自動的に再生させることが可能な情報記録媒体、情報再生装置及び方法等を提供することを目的する。
【課題を解決するための手段】
【０００９】
上記課題を解決するため、請求項１に記載の情報記録媒体は、少なくとも、複数に区分された記録情報と、前記記録情報を再生するための再生制御情報と、選択可能に表示される選択項目を構成する副映像情報と、前記選択項目が選択確定された場合に実行されるコマンドを規定するコマンド情報と、を記録する情報記録媒体であって、前記コマンドが実行されることによって再生されるべき記録情報を特定するための特定情報を記録することを特徴とする。【００１０】
請求項５に記載の情報再生装置は、上記情報記録媒体に記録された前記記録情報を再生する情報再生装置であって、再生すべき記録情報を指定するための指定情報を取得する指定情報取得手段と、前記情報記録媒体に記録された前記特定情報を取得する特定情報取得手段と、前記取得された特定情報のうち、前記取得された指定情報に対応する特定情報を検索する特定情報検索手段と、前記検索された特定情報に対応するコマンド情報に規定されたコマンドを実行するコマンド実行手段と、を備えることを特徴とする。【００１１】
請求項７に記載の情報再生方法は、上記情報記録媒体に記録された前記記録情報を再生する情報再生方法であって、再生すべき記録情報を指定するための指定情報を取得する工程と、前記情報記録媒体に記録された前記特定情報を取得する工程と、前記取得された特定情報のうち、前記取得された指定情報に対応する特定情報を検索する工程と、前記検索された特定情報に対応するコマンド情報に規定されたコマンドを実行する工程と、を備えることを特徴とする。【００１２】
請求項８に記載の情報再生処理プログラムは、上記情報記録媒体に記録された前記記録情報を再生するコンピュータを、再生すべき記録情報を指定するための指定情報を取得する指定情報取得手段、前記情報記録媒体に記録された前記特定情報を取得する特定情報取得手段、前記取得された特定情報のうち、前記取得された指定情報に対応する特定情報を検索する特定情報検索手段、及び、前記検索された特定情報に対応するコマンド情報に規定されたコマンドを実行するコマンド実行手段、として機能させることを特徴とする。【００１３】
請求項９に記載の記録媒体は、請求項８に記載の情報再生処理プログラムがコンピュータ読み取り可能に記録されていることを特徴とする。
【図面の簡単な説明】
【００１４】
【図１】ビデオＤＶＤにおける論理データ構造を示す図である。
【図２】ビデオＤＶＤにおける論理データ構造を示す図である。
【図３】オーディオＤＶＤにおける論理データ構造を示す図である。
【図４】オーディオＤＶＤにおける論理データ構造を示す図である。
【図５】本実施形態におけるＤＶＤ再生装置の概要構成例を示す図である。
【図６】実施例１におけるシステムコントローラ１８のコマンド自動実行処理を示すフローチャートである。
【図７】実施例２におけるシステムコントローラ１８のコマンド自動実行処理を示すフローチャートである。
【図８】実施例３におけるシステムコントローラ１８のコマンド自動実行処理を示すフローチャートである。
【符号の説明】
【００１５】
１  ビデオＤＶＤ
２  オーディオＤＶＤ
３  スピンドルモータ
４  光ピックアップ
５  送りモータ
６  ＲＦアンプ
７  サーボ制御部
８  デジタル信号処理部
９  バッファメモリ
１０  ストリーム分離部
１１  ビデオデコーダ
１２  オーディオデコーダ
１３  サブピクチャデコーダ
１４  ビデオプロセッサ
１５  Ｄ／Ａ変換器
１６  ビデオエンコーダ
１７  通信部
１８  システムコントローラ
１９  記憶部
２０  操作部
２１  音声認識部
Ｓ  ＤＶＤ再生装置
【発明を実施するための最良の形態】
【００１６】
以下、本願の最良の実施形態を添付図面に基づいて説明する。なお、以下に説明する実施の形態は、ＤＶＤ及び当該ＤＶＤに記録された記録情報を再生するＤＶＤ再生装置（ＤＶＤプレーヤ）に対して本願を適用した場合の実施形態である。【００１７】
（１）ビデオＤＶＤの論理データ構造
先ず、図１及び図２を参照して、ビデオＤＶＤにおける論理データ構造（フォーマット）について説明する。【００１８】
図１及び図２は、ビデオＤＶＤにおける論理データ構造を示す図である。【００１９】
図１に示すように、ビデオＤＶＤ１のボリューム空間は、ＵＤＦ（Universal Disc Format）とＩＳＯ9660との両規格に準拠した論理フォーマットの制御情報が記録されるVolume and Filestructureと、DVD-Video zoneと、DVD others zoneとに大別され、そのうち、DVD-Video zoneが本願の記録情報及び再生制御情報を含むＤＶＤデータを記録するためのデータ格納領域となっている。また、ＤＶＤデータを再生するために必要な情報も全てこのDVD-Video zoneに格納（記録）されるようになっている。DVD-Video zoneは、１つのＶＭＧ（Video Manager）と、１個以上９９個以下のＶＴＳ（Video Title Set）#1〜ＶＴＳ#iとから構成される。【００２０】
ＶＭＧは、再生ストリームの実体であるＶＭＧメニュー用のＶＭＧＭ_VOBS（Video Object Set for VMG Menu）と、ＶＭＧＭ_VOBSの再生方法に関する再生制御情報としてのＰＧＣＩ（Program Chain Information）や再生ストリーム属性等を示した制御情報であるＶＭＧＩ（Video Manager Information）と、ＶＭＧＩのバックアップ用データＶＭＧＩ_BUPとから構成される。【００２１】
夫々のＶＴＳ#1〜ＶＴＳ#iは、再生ストリームの実体であるＶＴＳメニュー用のＶＴＳＭ_VOBS（Video Object Set for VTS Menu）と、タイトル用のＶＴＳＴＴ_VOBS（Video Object Set for Video Title）と、ＶＴＳＭ_VOBS及びＶＴＳＴＴ_VOBSの再生方法に関する再生制御情報としてのＰＧＣＩや再生ストリーム属性等を示した制御情報であるＶＴＳＩ（Video Title Set Information）と、ＶＴＳＩのバックアップ用データＶＴＳＩ_BUPから構成される。【００２２】
なお、ＶＴＳとは、関連する（例えば、それに含まれる映像情報、音声情報、及び副映像情報の数や、仕様、対応言語等の属性が同じ）タイトル（映画等の、製作者が視聴者に提示しようとする一つの作品）を一まとめにしたセット（まとまり）である。また、ＰＧＣＩとは、後述するセルの再生順序を指定することで、再生方法を指示している論理的な処理単位である。【００２３】
上記のＶＭＧＭ_VOBS，ＶＴＳＭ_VOBS，ＶＴＳＴＴ_VOBSは、夫々１個以上のＶＯＢ#1〜ＶＯＢ#j，ＶＯＢ#1〜ＶＯＢ#k，ＶＯＢ#1〜ＶＯＢ#tから構成され、更にそれら各ＶＯＢは、図２に示すように（代表例としてＶＭＧＭ_VOBS中のセル#1〜#mを示す）、複数のセル（Cell）で構成されている。つまり、各ＶＯＢにおける記録情報は、夫々にＩＤ番号を有するセルによって複数に区分される。【００２４】
このセルは、リアルタイムデータの再生単位であり、ＶＭＧ中又はＶＴＳ中に複数個備えられることができると共に、上記ＰＧＣＩによって再生順序が指定されるようになっている。より具体的には、複数のセルを選択して組合わせることにより、一のプログラムが論理上構成される。そして、複数のプログラムを組合わせて一のＰＧＣ（Program Chain）が論理上構成される。このＰＧＣの単位で、上記ＰＧＣＩが定義され、当該ＰＧＣＩには、夫々のプログラムを再生する際の各プログラム毎のセルの再生順序、夫々のセルのビデオＤＶＤ１上の記録位置であるアドレス、一のプログラムにおける再生すべき先頭セルのＩＤ番号、などが含まれる。一のＰＧＣには、上記ＰＧＣＩの他に、映像情報又は音声情報等がプログラムの組合わせとして（換言すれば、セルの組合わせとして）含まれることとなる。【００２５】
なお、後述するメニューは、ＶＭＧＭ_VOBS又はＶＴＳＭ_VOBS中のセルによって構成されるＰＧＣから構成される。また、ＶＭＧＭ_VOBSを使用して構成されたメニューを再生するための１個以上のＰＧＣの集まりをＶＭＧＭドメインといい、ＶＴＳＭ_VOBSを使用して構成されたメニューを再生するための１個以上のＰＧＣの集まりをＶＴＳＭドメインという。【００２６】
また、各セル（セル#1を代表して示す）は、夫々にＩＤ番号を有する複数のＶＯＢＵ（Video Object Unit）#1〜ＶＯＢＵ#nから構成され、更に各ＶＯＢＵ（ＶＯＢＵ#1を代表して示す）は、先頭に必ず設けられるＮＶ_PCK（Navigation Pack）と、必要に応じて時分割で設けられるＶ_PCK（Video Pack）、Ａ_PCK（Audio Pack）、及びＳＰ_PCK（Sub-picture Pack）とから構成される。各PCK（パック）の先頭には、パックヘッダが記録され、夫々のパックヘッダには、各PCKに含まれているデータを、後述するＤＶＤ再生装置におけるトラックバッファから読み出して夫々のバッファへの入力を開始すべき再生時間軸上の読み出し開始時刻を示すＳＣＲ（System Clock Reference）と呼ばれる読み出し開始時刻情報や、PCKの開始であることを示すスタートコード等が含まれる。【００２７】
Ｖ_PCKは、映像情報（ビデオデータ）を含み、例えば一又は複数のＧＯＰ（Group Of Picture）により構成される。このＧＯＰは、本実施形態におけるビデオＤＶＤ１に映像情報を記録する際に採用されている画像圧縮方式であるＭＰＥＧ２（Moving Picture Experts Group ２）方式の規格において定められている単独で再生可能な最小の画像単位である。【００２８】
Ａ_PCKは、音声情報（オーディオデータ）を含み、例えばリニアＰＣＭにより非圧縮のデータ、又は例えばドルビーデジタル（ＡＣ−３）方式で圧縮されたデータが含まれている。【００２９】
ＳＰ_PCKは、副映像情報（サブピクチャデータ）を含み、副映像情報としては、文字、絵柄、図形等のデータが挙げられる。【００３０】
ＮＶ_PCKは、上記パックヘッダ等と、再生させたい映像情報又は音声情報等を検索するための検索情報（具体的には、当該再生させたい映像情報又は音声情報等が記録されているビデオＤＶＤ１上の記録位置であるアドレス等）であるＤＳＩ_PKT（Data Search Information Packet）と、当該ＤＳＩ_PKTに基づいて検索された映像又は音声を再生する際の再生表示制御に関する情報であるＰＣＩ_PKT（Presentation Control Information Packet）と、を含んで構成される。【００３１】
そして、ＰＣＩ_PKTには、ＨＬＩ(HighLight Information：ハイライト情報)が含まれ、このＨＬＩは、ＨＬＩ_GI (HighLight Information General Information：ハイライト一般情報)と、ＢＴＮ_COLIT (Button Collar Information Table：ボタン色情報テーブル)と、ＢＴＮＩＴ(Button Information Table：ボタン情報テーブル)と、から構成される。【００３２】
ここで、「ボタン」とは、副映像情報により構成され、選択可能に表示される選択項目のことをいい、このボタンとしては、例えば表示画面における主映像の背景上に表示されるメニュー中の選択ボタンがある。例えば、ユーザ（視聴者）が、操作部を操作してカーソルを移動させ所望の選択ボタンを選択（例えば、カーソルを合わせる）した後、その選択ボタンの選択確定（入力部における操作ボタンを押下）した場合に、その選択ボタンに対応するコマンドが実行されタイトルが再生されることになる。また、選択ボタンは、選択された時及び選択確定された時に、ハイライト表示（当該ボタンの色等の変化によって強調される表示）がなされる。【００３３】
ＨＬＩ_GIは、ハイライト情報全般に係る情報であり、ハイライト状態を示す情報、ハイライト開始点を示す情報、ハイライト終了点を示す情報、表示されるボタンのモードを示す情報、表示されるボタンが何番から開始されるかのボタン開始番号を示す情報、及び表示されるボタンの総数であるボタン数を示す情報等を含んで構成される。【００３４】
ＢＴＮ_COLITは、ハイライト表示におけるボタンの色の変化等を各ボタン毎に定義したテーブルである。【００３５】
ＢＴＮＩＴは、１個以上のＢＴＮＩ(Button Information：ボタン情報)#1〜ＢＴＮＩ#nから構成される。例えば、ＢＴＮＩ#1はボタン番号が「１」のボタン情報を示し、ＢＴＮＩ#2はボタン番号が「２」のボタン情報を示し、ＢＴＮＩ#nはボタン番号が「n」のボタン情報を示す。また、夫々のＢＴＮＩ（ＢＴＮＩ#1を代表して示す）は、ボタンの占める領域を座標情報として規定するＢＴＮ_POSI(Button Position：ボタン位置情報)と、そのボタンと隣接するボタンの相互関係を規定するＡＪＢＴＮ_POSI(Adjoin Button Position：隣接ボタン位置情報)と、ボタンが選択確定された場合に実行されるコマンドを規定するコマンド情報としてのＢＴＮ_CMD(Button Command：ボタンコマンド)と、を含んで構成される。このＢＴＮ_CMDには、例えば、ＩＤ番号が「ｎ」のセルに遷移しなさいとのコマンドが規定されており、かかるコマンドの実行により、例えば、遷移先のセルに格納されている映像情報や音声情報等が展開され再生されることになる。しかし、従来のＢＴＮＩにおいては、上記コマンドを実行してみないと、遷移先のセルに何の情報が格納されているかが判らなかった。【００３６】
そこで、本実施形態においては、夫々のＢＴＮＩにおいて、更に、上記コマンドが実行されることによって再生されるべき映像情報又は音声情報等を特定するための特定情報としてのＤＳＴ_INFO(Destination Information：遷移先情報)が、ＢＴＮ_CMDに対応付けられて格納（例えば、１バイト分追加）される。例えば、このＤＳＴ_INFOには、再生されるべき映像情報又は音声情報等を特定するために、その映像情報又は音声情報等の内容を示す情報（例えば、そのタイトルの番号、名称、又は属性、或いは、チャプターの番号、名称、又は属性等）が含まれる。従って、このＤＳＴ_INFOが参照されることにより、上記コマンドが実行される前に、遷移先のセルに何の情報が格納されているか（言い換えれば、次にどの状態へ遷移するのか）の判別が可能となる。【００３７】
（２）オーディオＤＶＤの論理データ構造
先ず、図３及び図４を参照して、オーディオＤＶＤにおける論理データ構造（フォーマット）について説明する。なお、オーディオＤＶＤにおける論理データ構造の説明において、上述したビデオＤＶＤにおける論理データ構造の説明と重複する説明は省略する。【００３８】
図３及び図４は、オーディオＤＶＤにおける論理データ構造を示す図である。【００３９】
図３に示すように、オーディオＤＶＤ２のボリューム空間は、ＵＤＦとＩＳＯ9660との両規格に準拠した論理フォーマットの制御情報が記録されるVolume and Filestructureと、DVD-Audio zoneと、DVD-Video zoneと、DVD others zoneとに大別され、そのうち、DVD-Audio zone及びDVD-Video zoneが本願の記録情報及び再生制御情報を含むＤＶＤデータを記録するためのデータ格納領域となっている。また、ＤＶＤデータを再生するために必要な情報も全てこのDVD-Audio zone及びDVD-Video zoneに格納（記録）されるようになっている。なお、DVD-Video zoneにおける論理データ構造は、上述したビデオＤＶＤ１と同様であるので、この説明を省略する。オーディオＤＶＤ２においては、通常、DVD-Audio zoneが使用される。【００４０】
DVD-Audio zoneは、１つのＳＡＭＧ（Sample Audio Manager）と、１つのＡＭＧ（Audio Manager）と、０〜１つのＡＳＶＳ（Audio Still Video Set）と、１個以上９９個以下のＡＴＳ（Audio Title Set）#1〜ＡＴＳ#iとから構成される。【００４１】
ＡＭＧは、再生ストリームの実体であるＡＭＧメニュー用のＡＭＧＭ_VOBS（Video Object Set for AMG Menu）と、ＡＭＧＭ_VOBSの再生方法に関する再生制御情報としてのＰＧＣＩや再生ストリーム属性等を示した制御情報であるＡＭＧＩ（Audio Manager Information）と、ＡＭＧＩのバックアップ用データＡＭＧＩ_BUPとから構成される。【００４２】
夫々のＡＴＳ#1〜ＡＴＳ#iは、再生ストリームの実体であるタイトル用のＡＯＴＴ_AOBS（Audio Object Set for Audio Title）と、ＡＯＴＴ_AOBSの再生方法に関する再生制御情報としてのＰＧＣＩや再生ストリーム属性等を示した制御情報であるＡＴＳＩ（Audio Title Set Information）と、ＡＴＳＩのバックアップ用データＡＴＳＩ_BUPから構成される。【００４３】
上記のＡＭＧＭ_VOBSは、夫々１個以上のＶＯＢ#1〜ＶＯＢ#jから構成され、ＡＯＴＴ_AOBSは、夫々１個以上のＡＯＢ#1〜ＡＯＢ#mから構成され、更にそれら各ＶＯＢ若しくはＡＯＢは、複数のセル（Cell）で構成される。各セルにおける論理データ構造は、上述したビデオＤＶＤ１におけるセルとほぼ同様であるが、ＨＬＩ（ハイライト情報）については、ＡＳＶＳに格納されることになる。【００４４】
ＡＳＶＳは、静止画像の実体であるＡＳＶ用のＡＳＶＯＢＳ（Video Object Set for Audio Still Video）と、ＡＳＶＯＢＳの属性等を示したＡＳＶＳＩ（Audio Still Video Set Information）と、ＡＳＶＳＩのバックアップ用データＡＳＶＳＩ_BUPとから構成される。【００４５】
ＡＳＶＯＢＳは、１個以上のＡＳＶＵ（Audio Still Video Unit）#1〜ＡＳＶＵ#kから構成され、更にそれら各ＡＳＶＵは、１個以上のＡＳＶＯＢ（Audio Still Video Object）#1〜ＡＳＶＯＢ#lから構成される。【００４６】
そして、各ＡＳＶＯＢは、図４に示すように、ＨＬＩ_ＰCK (HightLight Pack)及びＳＰ_ＰCK (Sub-picture Pack)等を含んで構成され、このＨＬＩ_ＰCKに、ＨＬＩ(HighLight Information：ハイライト情報)が含まれることになる。なお、ＨＬＩにおける論理データ構造は、上述したビデオＤＶＤ１と同様であるので、説明を省略する。また、このＳＰ_ＰCKには、上述したビデオＤＶＤ１と同様、副映像情報（サブピクチャデータ）が含まれる。【００４７】
（３）ＤＶＤ再生装置の構成及び機能
先ず、図５を参照して、本実施形態におけるＤＶＤ再生装置の構成及び機能について説明する。【００４８】
図５は、本実施形態におけるＤＶＤ再生装置の概要構成例を示す図である。【００４９】
図５に示すように、ＤＶＤ再生装置Ｓは、所定のクランプ位置に装填されるＤＶＤ（ビデオＤＶＤ１又はオーディオＤＶＤ２）を一定の線速度（又は角速度）で回転駆動するスピンドルモータ３と、ＤＶＤに記録されている情報を光学的に読み取り電気信号に光電変換する光ピックアップ４と、光ピックアップ４をＤＶＤの半径方向へ移動させる送りモータ５と、ＲＦアンプ６と、サーボ制御部７と、デジタル信号処理部８と、バッファメモリ９と、ストリーム分離部１０と、ビデオデコーダ１１と、オーディオデコーダ１２と、サブピクチャデコーダ１３と、ビデオプロセッサ１４と、Ｄ／Ａ変換器１５と、ビデオエンコーダ１６と、通信部１７と、システムコントローラ１８と、記憶部１９と、操作部２０と、音声認識部２１と、を備えて構成されている。【００５０】
なお、ＤＶＤは、例えば図示しないディスク収納部内に複数枚収納されており、ディスクチェンジャによって、そのうち何れかのＤＶＤが選択されて、上記所定のクランプ位置に装填されるようになっている。【００５１】
ＲＦアンプ６は、光ピックアップ４より出力される電気信号からＲＦ（Radio Frequency）信号を生成してデジタル信号処理部８へ出力し、かつ当該電気信号からトラッキングエラーやフォーカスエラー等の各種エラー信号を生成してサーボ制御部７へ出力するようになっている。【００５２】
サーボ制御部７は、システムコントローラ１８の指示に応じて、ＲＦアンプ６からの各種エラー信号とデジタル信号処理部８で検出された同期誤差信号とに基づいて、スピンドルモータ３、光ピックアップ４及び送りモータ５に対してサーボ制御（フォーカスサーボ、トラッキングサーボ、回転サーボ、キャリッジサーボ等）を行うようになっている。【００５３】
デジタル信号処理部８は、ＲＦアンプ６からのＲＦ信号をＡ／Ｄ変換した後、ＤＶＤ-Videoの規格、又はＤＶＤ-Audioの規格に準拠した信号復調処理と誤り訂正処理を行ってバッファメモリ９に一時的に格納する。更にその格納した復調データをシステムコントローラ１８からの指示に従って、ストリーム分離部１０及びシステムコントローラ１８へ出力し、かつ復調及び誤り訂正処理によって得られる同期誤差信号をサーボ制御部７へ供給するようになっている。【００５４】
ストリーム分離部１０は、デジタル信号処理部８より供給される復調データから、上述したＮＶ_PCK（ナビゲーションパック）、Ｖ_PCK（ビデオパック）、Ａ_PCK（オーディオパック）、ＳＰ_PCK（サブピクチャパック）、ＨＬＩ_ＰCK（ハイライトパック）等を分離抽出する。分離抽出されたＮＶ_PCKとＨＬＩ_ＰCKはシステムコントローラ１８へ、Ｖ_PCKはビデオデコーダ１１へ、Ａ-PCKはオーディオデコーダ１２へ、ＳＰ_PCKはサブピクチャデコーダ１３へ、夫々それぞれ供給される。ＮＶ_PCK又はＨＬＩ_ＰCKが供給されることにより、システムコントローラ１８は、上述したＢＴＮＩ（ボタン情報）が含まれるＨＬＩ（ハイライト情報）を取得する。【００５５】
ビデオデコーダ１１は、Ｖ_PCKに対して所定のデコード処理を行い、その復号した映像情報（ビデオデータ）をビデオプロセッサ１４へ出力するようになっている。【００５６】
オーディオデコーダ１２は、音声情報（オーディオデータ）がドルビーデジタル（ＡＣ−３）方式で圧縮されて記録されている場合、そのＡ_PCKに対して、所定のデコード処理を施すことにより音声情報（オーディオデータ）を生成し、Ｄ／Ａ変換器１５に出力する。一方、オーディオデコーダ１２は、音声情報（オーディオデータ）がリニアＰＣＭ方式の非圧縮で記録されている場合、デコード処理を行わずにＤ／Ａ変換器１５に出力する。【００５７】
Ｄ／Ａ変換器１５では、オーディオデコーダ１２から出力された音声情報（オーディオデータ）を、オーディオ周波数帯域のアナログオーディオ信号に変換させて出力させるようになっている。【００５８】
サブピクチャデコーダ１３は、ＳＰ_PCKに対して所定のデコード処理を施すことにより、前述した副映像情報（サブピクチャデータ）を生成してビデオプロセッサ１４へ出力するようになっている。【００５９】
ビデオプロセッサ１４は、システムコントローラ１８からの指示に従って、ビデオデコーダ１１から供給された映像情報（ビデオデータ）又は副映像情報（サブピクチャデータ）により画像データを生成しビデオエンコーダ１６へ出力する。また、ビデオプロセッサ１４は、ビデオデコーダ１１及びサブピクチャデコーダ１３から供給された映像情報（ビデオデータ）と副映像情報（サブピクチャデータ）とを合成することにより画像データを生成して、ビデオエンコーダ１６へ出力する。【００６０】
ビデオエンコーダ１６は、画像データをモニタで表示可能なデジタル映像データやコンポジット信号に変換して出力する。そして、ビデオエンコーダ１６は、これらのデジタル映像データやコンポジット信号をモニタ（図示せず）に供給することにより、そのモニタの表示画面上にコンテンツである例えば映画や、ユーザに対してメニューを表示させる。【００６１】
通信部１７は、システムコントローラ１８からの指示に従って、例えばインターネット等のネットワークに接続されたサーバに接続し、そのサーバとの間でデータ通信を行うためのものである。【００６２】
システムコントローラ１８は、演算機能を有するＣＰＵ、作業用ＲＡＭ、及びＲＯＭ等を備えており、これには、ユーザが所望の指示入力を行うための入力手段としての操作部２０と、ユーザが所望の指示入力を音声にて行うための入力手段としての音声認識部２１と、各種データ及びプログラム（情報再生処理プログラムを含む：この情報再生処理プログラムは、例えば、インターネット上のサーバからダウンロードされるようにしてもよいし、ＣＤ−ＲＯＭ等の記録媒体に記録されて提供されるようにしてもよい。）を記憶する記憶部（例えば、ＨＤＤ（Hard Disc Drive）や、不揮発性メモリ（ＥＥＰＲＯＭ）等）１９とが接続されている。【００６３】
そして、ＣＰＵが、記憶部１９に記憶されたプログラムを実行することにより、システムコントローラ１８は、ＤＶＤ再生装置Ｓ全体を統括制御し、ＤＶＤに記録された情報を再生させ、出力（映像出力、音声出力）させ、更に、本願の指定情報取得手段、特定情報取得手段、特定情報検索手段、及びコマンド実行手段として機能するようになっている。【００６４】
具体的には、システムコントローラ１８は、指定情報取得手段として、再生すべき記録情報を指定するための指定情報（例えば、チャプター番号、本編を示す情報等）を取得（例えばＲＡＭにおける所定のアドレスに記憶）する。この指定情報は、例えばユーザ、或いは製造者等により記憶部１９に予め記憶されるようにしてもよいし、ユーザからの指示に従って操作部２０や音声認識部２１を介して、その都度入力されるようにしてもよい。【００６５】
そして、システムコントローラ１８は、特定情報取得手段として、ＤＶＤに記録された複数のセルに含まれるＤＳＴ_INFO（遷移先情報）を取得（すなわち、ストリーム分離部１０からのＮＶ_PCK（ナビゲーションパック）に含まれるＢＴＮ_POSI（ボタン位置情報）から取得）した後、特定情報検索手段として、取得した複数のＤＳＴ_INFO（遷移先情報）のうち、上記取得した指定情報に対応する特定情報を検索する。例えば、指定情報と一致するＤＳＴ_INFO（遷移先情報）、或いは、指定情報が含まれるＤＳＴ_INFO（遷移先情報）が取得される。なお、指定情報とＤＳＴ_INFO（遷移先情報）との対応関係を示すテーブルを記憶しておき、システムコントローラ１８が、当該テーブルを参照することによって、指定情報に対応するＤＳＴ_INFO（遷移先情報）を検索してもよい。【００６６】
そして、システムコントローラ１８は、コマンド実行手段として、検索したＤＳＴ_INFO（遷移先情報）に対応するＢＴＮ_CMD（ボタンコマンド）に規定されたコマンドを実行する。つまり、例えばユーザにより選択ボタンが押下される前に、当該選択ボタンに対応するコマンドが自動的に実行（コマンド自動実行処理）され、例えば、遷移先のセルに格納されている映像情報や音声情報等が再生、出力されることになる。【００６７】
（４）ＤＶＤ再生装置の再生動作
次に、図６乃至図８を参照して、ＤＶＤ再生装置Ｓの再生動作におけるコマンド自動実行処理について説明する。図６乃至図８は、夫々、実施例１乃至３におけるシステムコントローラ１８のコマンド自動実行処理を示すフローチャートである。なお、ＤＶＤに記録された情報の再生出力動作（ＤＶＤ再生装置Ｓにおける各構成要素の動作）については、公知であるので詳しい説明を省略する。【００６８】
（実施例１）
実施例１では、表示されるべきメニューがモニタに表示される前に、コマンドが自動的に実行される場合の例について説明する。【００６９】
先ず、ＤＶＤがＤＶＤ再生装置Ｓに装填されると、ＤＶＤのローディングが行われることにより例えばＶＭＧ等における情報が再生され、例えばデジタル信号処理部８を介してＶＭＧＩ等がシステムコントローラ１８に送られると共に、ストリーム分離部１０を介して、ＮＶ_PCK（ナビゲーションパック）がシステムコントローラ１８に送られる。【００７０】
続いて、図６に示すように、システムコントローラ１８は、ＮＶ_PCK及びＶＭＧＩ等を受け取り、ＮＶ_PCKに含まれるＢＴＮ_POSI（ボタン位置情報）から各ボタンのＤＳＴ_INFO（遷移先情報）を取得して一時ＲＡＭに記憶する（ステップＳ１）。【００７１】
なお、取得されるＤＳＴ_INFOとしては、例えば、タイトル（選択）メニューにおける、ボタン１に対応する遷移先情報（例えば、チャプター選択を示す情報）、ボタン２に対応する遷移先情報（例えば、本編再生であることを示す情報“ＰＬＡＹ”）、ボタン３に対応する遷移先情報（例えば、特典映像再生であることを示す情報）等がある（以下の実施例２及び３でも同様）。【００７２】
次いで、システムコントローラ１８は、記憶部１９に予め記憶されていた指定情報（例えば、本編再生であることを示す情報“ＰＬＡＹ”）を取得して一時ＲＡＭに記憶する（ステップＳ２）。【００７３】
次いで、システムコントローラ１８は、上記取得した複数のＤＳＴ_INFOのうち、上記取得した指定情報に対応するＤＳＴ_INFOを検索する（ステップＳ３）。ここでは、例えば、ボタン２に対応する遷移先情報（例えば、本編再生であることを示す情報“ＰＬＡＹ”）が検索されることになる。【００７４】
次いで、システムコントローラ１８は、検索したＤＳＴ_INFOに対応するＢＴＮ_CMD（ボタンコマンド）に規定されたコマンドを実行し（ステップＳ４）、例えば遷移先のセルに含まれる映像情報や音声情報等を再生させるように制御する。これにより、メニューがモニタに表示される前に、例えば本編における映像情報及び音声情報等の再生、出力が行われることになる。【００７５】
（実施例２）
実施例２では、表示されるべきメニューがモニタに表示された後、所定時間経過後に、コマンドが自動的に実行される場合の例について説明する。【００７６】
先ず、ＤＶＤがＤＶＤ再生装置Ｓに装填されると、ＤＶＤのローディングが行われることにより例えばＶＭＧ等における情報が再生され、例えばデジタル信号処理部８を介してＶＭＧＩ等がシステムコントローラ１８に送られると共に、ストリーム分離部１０を介して、ＮＶ_PCK（ナビゲーションパック）がシステムコントローラ１８に送られる。また、例えば、このときに、システムコントローラ１８により時間のカウントが開始される。【００７７】
続いて、図７に示すように、システムコントローラ１８は、ＮＶ_PCK及びＶＭＧＩ等を受け取り、ＮＶ_PCKに含まれるＢＴＮ_POSI（ボタン位置情報）から各ボタンのＤＳＴ_INFO（遷移先情報）を取得して一時ＲＡＭに記憶する（ステップＳ１１）。【００７８】
次いで、システムコントローラ１８は、ＮＶ_PCK及びＶＭＧＩ等に含まれる情報（例えば、ＰＧＣＩやＨＬＩ（ハイライト情報））に基づき、メニューを表示させるための情報を構成して、メニュー表示指示と共にビデオプロセッサ１４に出力する（ステップＳ１２）。これにより、ビデオプロセッサ１４は、システムコントローラ１８からのメニュー表示指示に従って、ビデオデコーダ１１から供給された副映像情報（サブピクチャデータ）によりメニュー（選択ボタンが含まれる）画像データを生成しビデオエンコーダ１６へ出力する。そして、ビデオエンコーダ１６によりメニューがモニタ（図示せず）に表示されることになる。【００７９】
次いで、システムコントローラ１８は、上記カウントされた時間が所定時間（例えば、数十秒）を経過しているか否かを判別し（ステップＳ１３）、経過している場合には（ステップＳ１３：Ｙ）、上記実施例１と同様、記憶部１９に予め記憶されていた指定情報（例えば、本編再生であることを示す情報“ＰＬＡＹ”）を取得して一時ＲＡＭに記憶する（ステップＳ１４）。【００８０】
そして、ステップＳ１５〜Ｓ１６において、上記実施例１と同様、上記取得した指定情報に対応するＤＳＴ_INFOが検索され、検索されたＤＳＴ_INFOに対応するＢＴＮ_CMD（ボタンコマンド）に規定されたコマンドが実行されることになる。【００８１】
（実施例３）
実施例３では、ユーザにより発話された言葉に対応するコマンドが自動的に実行される場合の例について説明する。【００８２】
先ず、ＤＶＤがＤＶＤ再生装置Ｓに装填されると、ＤＶＤのローディングが行われることにより例えばＶＭＧ等における情報が再生され、例えばデジタル信号処理部８を介してＶＭＧＩ等がシステムコントローラ１８に送られると共に、ストリーム分離部１０を介して、ＮＶ_PCK（ナビゲーションパック）がシステムコントローラ１８に送られる。【００８３】
続いて、図８に示すように、システムコントローラ１８は、ＮＶ_PCK及びＶＭＧＩ等を受け取り、ＮＶ_PCKに含まれるＢＴＮ_POSI（ボタン位置情報）から各ボタンのＤＳＴ_INFO（遷移先情報）を取得して一時ＲＡＭに記憶する（ステップＳ２１）。【００８４】
次いで、上記実施例２と同様、システムコントローラ１８は、ＮＶ_PCK及びＶＭＧＩ等に含まれる情報（例えば、ＰＣＧＩやＨＬＩ（ハイライト情報））に基づき、メニューを表示させるための情報を構成して、メニュー表示指示と共にビデオプロセッサ１４に出力する（ステップＳ２２）。【００８５】
次いで、システムコントローラ１８は、音声認識部２１からの音声による指定情報の入力を監視（判別）する（ステップＳ２３）。例えば、ユーザが音声認識部２１におけるマイクロフォン（図示せず）に対して、本編再生であることを示す情報である“ＰＬＡＹ”という言葉を発話すると、音声認識部２１は、その発話された言葉をマイクロフォン（図示せず）を通じて入力し、解析、認識した後、認識された言葉“ＰＬＡＹ”を指定情報としてシステムコントローラ１８に供給する。これにより、システムコントローラ１８は、ユーザから音声認識部２１を介して入力された音声による指定情報（例えば、本編再生であることを示す情報“ＰＬＡＹ”）を取得して一時ＲＡＭに記憶する（ステップＳ２４）。なお、音声認識部２１における音声認識は、公知の技術であるので詳しい説明は省略するが、例えば、入力された音声の周波数、波形などを解析し、予め用意された候補の中から、最も適合する候補を選定することによって当該音声を認識する。【００８６】
そして、ステップＳ２５〜Ｓ２６において、上記実施例１と同様、上記取得した指定情報に対応するＤＳＴ_INFOが検索され、検索されたＤＳＴ_INFOに対応するＢＴＮ_CMD（ボタンコマンド）に規定されたコマンドが実行されることになる。【００８７】
以上説明したように、上記実施形態によれば、各ボタンのコマンドが実行されることによって再生されるべき映像情報、音声情報等の記録情報を特定するためのＤＳＴ_INFO（遷移先情報）を、ＢＴＮＩ（ボタン情報）として予めＤＶＤに記録しておくように構成したので、ＤＶＤ再生装置Ｓは、上記コマンドが実行される前に、再生されるべき映像情報、音声情報等の記録情報の内容等を特定することができ、次にどの状態へ遷移するのかを判別することができる。従って、コマンドを実行することによって映像情報、音声情報等の記録情報の内容等を特定するよりも早く当該記録情報の内容等を特定することができる。【００８８】
また、ＤＶＤ再生装置Ｓは、上記ＤＶＤに記録された各ボタンに対応するＤＳＴ_INFO（遷移先情報）を取得し、更に、予めユーザ等により記憶部１９に記憶されていた指定情報、或いはユーザにより入力された指定情報を取得して、取得されたＤＳＴ_INFO（遷移先情報）のうち、取得された指定情報に対応するＤＳＴ_INFO（遷移先情報）を検索して、検索されたＤＳＴ_INFO（遷移先情報）コマンドを実行するように構成したので、ユーザにより選択ボタンが選択されることなく、当該ユーザが所望する記録情報を自動的に再生させることができる。【００８９】
なお、上記実施形態においては、本願の特定情報としてのＤＳＴ_INFO（遷移先情報）が、各ＢＴＮＩ（ボタン情報）内に追加するように構成したが、これに限定されるものではなく、例えば、ＤＳＴ_INFO（遷移先情報）は、複数のボタンに関する情報を一括管理する記録領域に追加（記録）するように構成してもよい。例えば、ＢＴＮＩＴ（ボタン情報テーブル）内に複数のボタンに対応するＤＳＴ_INFO（遷移先情報）を集めて追加したり、ＢＴＮＩＴよりも上位にＤＳＴ_INFO（遷移先情報）テーブルを追加（例えば、ＨＬＩ (ハイライト情報)内のＨＬＩ_GI (ハイライト一般情報)と同階層に追加）するように構成してもよい。この構成によれば、各ボタンに対応するＢＴＮＩ（ボタン情報）からＤＳＴ_INFO（遷移先情報）を個々に取得することなく、一括してＤＳＴ_INFO（遷移先情報）を取得することができる。【００９０】
また、上記実施形態においては、本願の情報記録媒体をＤＶＤに対して適用した場合の例について説明したが、これに限定されるものではなく、ＤＶＤと同じような論理データ構造を有する他の種類の情報記録媒体に対しても適用可能である。また、上記実施形態においては、本願の情報再生装置をＤＶＤ再生装置に対して適用した場合の例について説明したが、これに限定されるものではなく、ＤＶＤ再生記録装置（ＤＶＤレコーダ）等に対しても適用可能であり、また、上記他の種類の情報記録媒体から情報を再生する再生装置や再生記録装置に対しても適用可能である。
【図１】
0004279875.tif 000002
【図２】
0004279875.tif 000003
【図３】
0004279875.tif 000004
【図４】
0004279875.tif 000005
【図５】
0004279875.tif 000006
【図６】
0004279875.tif 000007
【図７】
0004279875.tif 000008
【図８】
0004279875.tif 000009